(57)【要約】【課題】製品コストを低減することができるとともに施工性を向上させることができる雨水浸透管およびこれを用いた雨水浸透システムの提供。【解決手段】雨水導入ラインに接続される導入側雨水マスに一端が連結され、雨水排出ラインに接続される排出側雨水マスに他端が連結される雨水浸透管１１であって、導入側雨水マスと排出側雨水マスとを連通させる上部流路６２を形成する上部流路形成部６３と、上部流路６２の下側に導入側雨水マスと排出側雨水マスとを連通させる下部流路６６を形成する下部流路形成部６７と、が押出成形により一体成形されており、下部流路形成部６７の周壁６５に下部流路６６を管外に連通させる排水孔８１〜８４が形成されている。【選択図】図２
2015140630.tif 000002
【特許請求の範囲】
【請求項１】
雨水導入ラインに接続される導入側雨水マスに一端が連結され、雨水排出ラインに接続される排出側雨水マスに他端が連結される雨水浸透管であって、
前記導入側雨水マスと前記排出側雨水マスとを連通させる上部流路を形成する上部流路形成部と、
前記上部流路の下側に前記導入側雨水マスと前記排出側雨水マスとを連通させる下部流路を形成する下部流路形成部と、が押出成形により一体成形されており、
前記下部流路形成部の周壁に前記下部流路を管外に連通させる排水孔が形成されていることを特徴とする雨水浸透管。
【請求項２】
前記下部流路形成部は、前記下部流路を、それぞれが個別の前記排水孔により管外に連通される複数の分割流路に分割する分割仕切壁を有することを特徴とする請求項１に記載の雨水浸透管。
【請求項３】
前記複数の分割流路が上下方向に段状に配置され、下段側ほど流路面積が小さくなっていることを特徴とする請求項２に記載の雨水浸透管。
【請求項４】
前記下部流路形成部は、
前記周壁に全長にわたって前記排水孔が形成されており、
前記排水孔で分断された前記周壁を前記分割仕切壁によって連結させていることを特徴とする請求項２または３に記載の雨水浸透管。
【請求項５】
高さが幅よりも大きい断面長円状をなす外筒部と、
該外筒部内に形成され前記外筒部の上部とで前記上部流路形成部を円筒状に形成するとともに前記外筒部の中間部および下部とで前記下部流路形成部を形成する内部仕切壁と、を有することを特徴とする請求項１乃至４のいずれか一項に記載の雨水浸透管。
【請求項６】
請求項１乃至５のいずれか一項に記載の雨水浸透管と、
該雨水浸透管の一端に連結される導入側雨水マスと、
前記雨水浸透管の他端に連結される排出側雨水マスと、
前記導入側雨水マスに接続される雨水導入ラインと、
前記排出側雨水マスに接続される雨水排出ラインと、を有する雨水浸透システム。
【発明の詳細な説明】
【技術分野】
【０００１】
本発明は、雨水浸透管およびこれを用いた雨水浸透システムに関する。
【背景技術】
【０００２】
近年は、いわゆるゲリラ豪雨による被害が増加している。特に都市部の雨水の貯留量・地中への浸透量が低下し、短時間に多量の雨水が河川などに流出しやすくなっている。その結果、大きな被害をもたらす都市型水害が発生している。大雨による浸水被害を防ぐためには、雨水を地下などへ貯留・浸透させることが必要になってくる。雨水を地中へ浸透させる技術として、例えば雨水マスシステムがある（例えば、特許文献１参照）。
【０００３】
この雨水マスシステムは、筒状をなすマスの周壁の上下位置にそれぞれ複数の接続口を形成し、各接続口に横方向に延びる通水管をそれぞれ接続して、下部の通水管の周壁に複数の排水孔を形成した構造になっている。この雨水マスシステムは、雨水の流量が少なくマスの水位が低い状態では下部の通水管のみに雨水を流すことになって排水孔から地中に雨水を排出して浸透させることになり、雨水の流量が多くなってマスの水位が上がると下部の通水管に加えて上部の通水管にも雨水を流して排水溝に雨水を排水するようになっている。
【先行技術文献】
【特許文献】
【０００４】
【特許文献１】特許第３８７１３９７号公報
【発明の概要】
【発明が解決しようとする課題】
【０００５】
上記の雨水マスシステムは、上部の通水管と下部の通水管とを別々に有するため、部品点数が多く、製品コストが増大してしまう。また、マスへの連結箇所が多くなるため、施工が面倒である。加えて、上部の通水管と下部の通水管とが分かれているため、埋め戻しを行いにくいこれらの間の隙間が多く、この点からも施工が面倒である。
【０００６】
本発明は、製品コストを低減することができるとともに施工性を向上させることができる雨水浸透管およびこれを用いた雨水浸透システムの提供を目的とする。
【課題を解決するための手段】
【０００７】
上記目的を達成するために、本発明の雨水浸透管は、雨水導入ラインに接続される導入側雨水マスに一端が連結され、雨水排出ラインに接続される排出側雨水マスに他端が連結される雨水浸透管であって、前記導入側雨水マスと前記排出側雨水マスとを連通させる上部流路を形成する上部流路形成部と、前記上部流路の下側に前記導入側雨水マスと前記排出側雨水マスとを連通させる下部流路を形成する下部流路形成部と、が押出成形により一体成形されており、前記下部流路形成部の周壁に前記下部流路を管外に連通させる排水孔が形成されている。
【０００８】
このように、導入側雨水マスと排出側雨水マスとを連通させる上部流路を形成する上部流路形成部と、導入側雨水マスと排出側雨水マスとを連通させる下部流路を形成する下部流路形成部とが押出成形により一体成形されているため、部品点数が少なくなる。したがって、製品コストを低減することができる。また、部品点数が少なくなることから導入側雨水マスおよび排水側雨水マスへの連結が容易となり、施工が容易となる。また、上部流路形成部と下部流路形成部とが一体成形されているため、埋め戻しが行いにくいこれらの間の隙間が少なく、この点からも施工が容易となる。
【０００９】
前記下部流路形成部が、前記下部流路を、それぞれが個別の前記排水孔により管外に連通される複数の分割流路に分割する分割仕切壁を有していても良い。このように構成すれば、複数の分割流路に分割して雨水を流すことができ、その結果、管内の雨水の流れを安定させることができる。よって、各排水孔から円滑に管外つまり地中へ雨水を排水することができる。また、分割仕切壁によって耐荷重性能を向上させることができるため、地盤側から受ける荷重による変形や破損等を抑制することができる。
【００１０】
前記複数の分割流路が上下方向に段状に配置され、下段側ほど流路面積が小さくなっていても良い。このように構成すれば、流路面積が均等になっている場合と比べて、流量が増えたときに下段の分割流路に加えて上段の分割流路に雨水を即座に流すことができる。よって、流量が増えたときに即座により多くの排水孔から管外つまり地中へ雨水を排水することができる。
【００１１】
前記下部流路形成部が、前記周壁に全長にわたって前記排水孔が形成されており、前記排水孔で分断された前記周壁を前記分割仕切壁によって連結させていても良い。このように構成すれば、押出成形によって排水孔を容易に形成することができる。したがって、製品コストをさらに低減することができる。
【００１２】
高さが幅よりも大きい断面長円状をなす外筒部と、該外筒部内に形成され前記外筒部の上部とで前記上部流路形成部を円筒状に形成するとともに前記外筒部の中間部および下部とで前記下部流路形成部を形成する内部仕切壁と、を有していても良い。このように構成すれば、押出成形の成形性が向上する。また、高さが幅よりも大きい断面長円状をなす外筒部を有する形状であることから、周囲に隙間がないように埋め戻すことが容易にでき、施工がさらに容易となる。
【００１３】
本発明の雨水浸透システムは、前記雨水浸透管と、該雨水浸透管の一端に連結される導入側雨水マスと、前記雨水浸透管の他端に連結される排出側雨水マスと、前記導入側雨水マスに接続される雨水導入ラインと、前記排出側雨水マスに接続される雨水排出ラインと、を有している。
【００１４】
雨水浸透管に、導入側雨水マスと排出側雨水マスとを連通させる上部流路を形成する上部流路形成部と、導入側雨水マスと排出側雨水マスとを連通させる下部流路を形成する下部流路形成部とが押出成形により一体成形されているため、部品点数が少なくなる。したがって、製品コストを低減することができる。また、雨水浸透管の導入側雨水マスおよび排水側雨水マスへの連結が容易となり、施工が容易となる。また、上部流路形成部と下部流路形成部とが一体成形された雨水浸透管を有するため、雨水浸透管の周囲の埋め戻しが容易となり、この点からも施工が容易となる。
【発明の効果】
【００１５】
本発明によれば、製品コストを低減することができるとともに施工性を向上させることができる。
【図面の簡単な説明】
【００１６】
【図１】本発明の第１実施形態に係る雨水浸透管および雨水浸透システムを示す側面図である。
【図２】本発明の第１実施形態に係る雨水浸透管を示す正面図である。
【図３】本発明の第２実施形態に係る雨水浸透管を示す正面図である。
【図４】本発明の第３実施形態に係る雨水浸透管および雨水浸透システムを示す側面図である。
【発明を実施するための形態】
【００１７】
以下、本発明の第１実施形態について、図１および図２を参照して説明する。
【００１８】
図１は、第１実施形態の雨水浸透システム１０の基本構成を示すものである。雨水浸透システム１０は、雨水浸透管１１と、この雨水浸透管１１の雨水の流れ方向上流側つまり雨水の導入側の一端に連結される雨水マス１２（導入側雨水マス）と、この雨水マス１２の雨水の流れ方向上流側つまり雨水の導入側に接続される雨水導入ラインの一部を構成する配管１３と、雨水浸透管１１の雨水の流れ方向下流側つまり雨水の排出側の他端に連結される雨水マス１４（排出側雨水マス）と、この雨水マス１４の雨水の流れ方向下流側つまり雨水の排出側に接続される配管１５（雨水排出ライン）とを有している。
【００１９】
雨水浸透管１１から見て雨水の導入側となる配管１３は、例えば建物の雨樋等の雨水源あるいは雨水源側の他の雨水マスに繋がっており、雨水浸透管１１から見て雨水の排出側となる配管１５は、道路の側溝等の雨水排出先あるいは雨水排出先側の他の雨水マスに繋がっている。
【００２０】
導入側の雨水マス１２および排出側の雨水マス１４は、地表面ＧＬよりも一部が上方に突出するように地中ＵＧに埋設されており、これらを繋ぐ雨水浸透管１１は、全体が地表面ＧＬよりも下側に位置するように地中ＵＧに水平に配置されて埋設されている。また、配管１３および配管１５も地表面ＧＬよりも下側に位置するように地中ＵＧに埋設されている。
【００２１】
導入側の雨水マス１２は、有底筒状をなし底部２１を下側にして地中に埋設される雨水マス本体２２と、雨水マス本体２２の上端開口２３を閉塞する蓋体２４と、雨水マス本体２２内に設けられるフィルタ２５とを有している。蓋体２４およびフィルタ２５は雨水マス本体２２に対し着脱可能となっている。
【００２２】
雨水マス本体２２には、一の側壁部２６の上部にこの側壁部２６を貫通して取付穴２７が形成されており、他の側壁部２８には上下方向の中間部にこの側壁部２８を貫通して連結穴２９が形成されている。取付穴２７は円形穴であり、連結穴２９は上下方向に長い長穴となっている。フィルタ２５は取付穴２７よりも下側にあって、雨水マス本体２２内を上下に仕切るように配置されている。
【００２３】
排出側の雨水マス１４は、有底筒状をなし底部３１を下側にして地中に埋設される雨水マス本体３２と、雨水マス本体３２の上端開口３３を閉塞する蓋体３４とを有している。蓋体３４は雨水マス本体３２に対し着脱可能となっている。
【００２４】
雨水マス本体３２には、一の側壁部３６の上部にこの側壁部３６を貫通して取付穴３７が形成されており、他の側壁部３８には上下方向の中間部にこの側壁部３８を貫通して連結穴３９が形成されている。取付穴３７は円形穴であり、連結穴３９は上下方向に長い長穴となっている。雨水マス本体２２，３２および蓋体２４，３４は、例えば合成樹脂製となっており、フィルタ２５は、例えば金属製となっている。
【００２５】
雨水マス１２と雨水マス１４とは、互いの連結穴２９，３９同士を高さを合わせて対向させている。そして、雨水マス１２の連結穴２９に雨水浸透管１１の長さ方向の一端が嵌合状態で連結され、雨水マス１４の連結穴３９に雨水浸透管１１の長さ方向に他端が嵌合状態で連結されている。連結穴２９，３９が上下に長い長穴形状をなしており、これに合わせて、雨水浸透管１１も、その外形形状が、高さが幅よりも大きい断面長円状をなしている。雨水マス本体２２の連結穴２９の周囲には、雨水浸透管１１の嵌合を容易にすると共に連結強度を確保するためのフランジ４１が形成されており、雨水マス本体３２の連結穴３９の周囲にも、同様のフランジ４２が形成されている。
【００２６】
また、雨水マス１２の取付穴２７に配管１３が嵌合状態で連結され、雨水マス１４の取付穴３７に配管１５が嵌合状態で連結されている。雨水マス本体２２の取付穴２７の周囲には、配管１３の嵌合を容易にすると共に連結強度を確保するためのフランジ４３が形成されており、雨水マス本体３２の取付穴３７の周囲にも、同様のフランジ４４が形成されている。取付穴２７，３７は、円形穴であるため、配管１３，１５は円筒状をなしており、具体的には汎用の塩化ビニル等の樹脂製パイプからなっている。
【００２７】
図２に示すように、雨水浸透管１１は、その外側部分を構成する外筒部５１を有している。この外筒部５１は、高さが幅よりも大きい断面長円状をなしている。つまり、外筒部５１は、円筒を軸線を含む平面で切断した形状の上側の半円筒部５２と、円筒を軸線を含む平面で切断した形状の下側の半円筒部５３と、これらを繋ぐ一対の平板部５４，５５とを有している。半円筒部５２，５３は互いに反対方向に膨出するように配置されており、一方の平板部５４は半円筒部５２および半円筒部５３の対向する一方の端縁同士を連結させ、他方の平板部５５は半円筒部５２および半円筒部５３の対向する他方の端縁同士を連結させている。
【００２８】
雨水浸透管１１は、外筒部５１の内部に形成される内部仕切壁６１を有している。内部仕切壁６１は、円筒を軸線を含む平面で切断した形状をなしており、外筒部５１の上部の半円筒部５２とで円筒状をなすように形成されている。半円筒部５２と内部仕切壁６１とからなる円筒状部分の内側は、雨水浸透管１１の上部において長さ方向に貫通する上部流路６２となっており、よって、半円筒部５２と内部仕切壁６１とが上部流路６２を形成する上部流路形成部６３となっている。言い換えれば、内部仕切壁６１が、外筒部５１の上部の半円筒部５２とで上部流路形成部６３を円筒状に形成している。
【００２９】
また、内部仕切壁６１は、外筒部５１の上下方向の中間部の一対の平板部５４，５５および外筒部５１の下部の半円筒部５３とで筒状の周壁６５を形成している。周壁６５の内側は、雨水浸透管１１の下部つまり上部流路６２の下側において長さ方向に貫通する下部流路６６となっており、よって、周壁６５は下部流路６６を形成する下部流路形成部６７の一部を構成している。下部流路形成部６７の一部を構成する内部仕切壁６１は、上記したように上部流路形成部６３の一部をも構成している。
【００３０】
下部流路形成部６７は、周壁６５の内側に、下部流路６６を複数の分割流路７１，７２，７３，７４に分割する、鉛直方向に沿う分割仕切壁７５および水平方向に沿う分割仕切壁７６を有している。分割仕切壁７５は、内部仕切壁６１の幅方向の中央位置と半円筒部５３の幅方向の中央位置とを結んでおり、雨水浸透管１１の全長にわたって形成されている。分割仕切壁７６は、幅方向一方の平板部５４と半円筒部５３との境界位置と、幅方向他方の平板部５５と半円筒部５３との境界位置とを結んでおり、雨水浸透管１１の全長にわたって形成されている。
【００３１】
半円筒部５３の幅方向一側と分割仕切壁７５，７６とでこれらの内側に分割流路７１が形成されており、半円筒部５３の幅方向他側と分割仕切壁７５，７６とでこれらの内側に分割流路７２が形成されている。また、平板部５４と内部仕切壁６１のこれと同側の部分と分割仕切壁７５，７６とでこれらの内側に分割流路７３が形成されており、平板部５５と内部仕切壁６１のこれと同側の部分と分割仕切壁７５，７６とでこれらの内側に分割流路７４が形成されている。よって、分割流路７１，７２が下段に配置され、分割流路７３，７４が上段に配置されている。分割流路７１，７２は互いの流路面積が同等になっている。分割流路７３，７４は、互いの流路面積が同等であり、分割流路７１，７２よりも流路面積が大きくなっている。つまり、複数の分割流路７１〜７４は、上下方向に段状に配置され、下段側ほど流路面積が小さくなっている。
【００３２】
下部流路形成部６７の周壁６５には、下部流路６６を管外に連通させる排水孔８１，８２，８３，８４が形成されている。具体的に、周壁６５の半円筒部５３の幅方向一側に排水孔８１が形成されており、この排水孔８１は分割流路７１を管外に連通させる。また、周壁６５の半円筒部５３の幅方向他側に排水孔８２が形成されており、この排水孔８２は分割流路７２を管外に連通させる。また、幅方向一側の平板部５４に排水孔８３が形成されており、この排水孔８３は分割流路７３を管外に連通させる。また、幅方向他側の平板部５５に排水孔８４が形成されており、この排水孔８４は分割流路７４を管外に連通させる。よって、分割流路７１〜７４は、それぞれが、排水孔８１〜８４のうちの個別に対応する一つによって管外に連通されている。
【００３３】
ここで、排水孔８１〜８４は、いずれも周壁６５にその全長にわたってスリット状に形成されている。言い換えれば、排水孔８１〜８４は、いずれも周壁６５をその長さ方向に貫通している。排水孔８１〜８４が形成されることより、周壁６５は、排水孔８１，８２間の分割壁部９０と、排水孔８１，８３間の分割壁部９１と、排水孔８２，８４間の分割壁部９２と、排水孔８３，８４間の分割壁部９３とに分断されている。つまり、分割壁部９０は半円筒部５３の一部からなり、分割壁部９１は半円筒部５３および平板部５４の一部からなり、分割壁部９２は半円筒部５３および平板部５５の一部からなり、分割壁部９３は、平板部５４，５５の一部と内部仕切壁６１の全部とからなっている。
【００３４】
これら分断された分割壁部９０〜９３が、分割仕切壁７５，７６によってすべて連結されている。つまり、分割壁部９０が分割仕切壁７５によって分割壁部９３に連結されており、分割壁部９１，９２が、分割仕切壁７６によって互いに連結され、さらに分割仕切壁７５によって分割壁部９０，９３に連結されている。
【００３５】
以上の雨水浸透管１１は、長さ方向の全長にわたって長さ方向に直交する断面が一定の形状をなしており、押出成形により一体成形されている。つまり、雨水浸透管１１は、上部流路形成部６３と下部流路形成部６７とが押出成形により一体成形されており、この押出成形時に排水孔８１〜８４も形成されている。なお、上部流路形成部６３には、長さ方向両端の開口を除けば上部流路６２を管外に連通させる排水孔は形成されていない。雨水浸透管１１は、例えば塩化ビニル、ポリエチレン、ポリプロピレン、ＡＢＳ等の樹脂製となっている。
【００３６】
雨水浸透管１１は、図１に示すように、長さ方向の一端が、雨水マス１２の連結穴２９に連結され、長さ方向の他端が、雨水マス１４の連結穴３９に連結される。これにより、図２に示す下部流路６６を構成する分割流路７１〜７４と上部流路６２とが、雨水マス１２と雨水マス１４とを連通させることになり、これら雨水マス１２，１４を介して配管１３と配管１５とを連通させる。
【００３７】
なお、雨水浸透管１１の外表面には、水を透過可能であって土砂等の通過を規制する図示略のフィルタが排水孔８１〜８４を覆うように貼り付けられている。つまり、フィルタは、雨水浸透管１１から排水孔８１〜８４を介しての外部へ排水を可能とする一方、雨水浸透管１１の内部への土砂等の排水孔８１〜８４を介しての進入を規制する。フィルタは例えば不織布、メッシュ（網）等からなっている。
【００３８】
雨水浸透システム１０を施工する場合、地中ＵＧに地表面ＧＬから溝を掘削し、この溝に雨水浸透システム１０を配置して、溝を埋め戻すことになる。その際に、雨水浸透管１１の周囲は砕石Ｓによって埋め戻されることになり、よって、施工状態の雨水浸透システム１０は、雨水浸透管１１の周囲が砕石Ｓで囲まれた状態となっている。
【００３９】
以上に述べた第１実施形態では、例えば建物の雨樋等の雨水源側から雨水が、配管１３内を流れ、雨水マス１２内に導入されて、フィルタ２５でゴミ類が捕捉された後、底部２１側から溜まる。雨水マス１２内の水位が雨水浸透管１１の半円筒部５３の下端部の上面よりも高くなると、雨水マス１２から雨水が雨水浸透管１１の分割流路７１，７２内を通り、雨水マス１４側に流れる。分割流路７１，７２内の雨水の水位が排水孔８１，８２の高さ以上になると、雨水は排水孔８１，８２から雨水浸透管１１の管外へ排出され、砕石Ｓの隙間を通って地中ＵＧに浸透する。
【００４０】
また、排水孔８１，８２からの排出流量を超える流量で雨水マス１２内に雨水が溜まると、排水孔８１，８２からの排水中も水位が上がることになり、水位が雨水浸透管１１の分割仕切壁７６の上面よりも高くなると、雨水マス１２から雨水が雨水浸透管１１の分割流路７１〜７４内を通り、雨水マス１４側に流れる。分割流路７３，７４内の雨水の水位が排水孔８３，８４の高さ以上になると、雨水は排水孔８３，８４からも雨水浸透管１１の管外へ排出され、砕石Ｓの隙間を通って地中ＵＧに浸透する。
【００４１】
さらに、排水孔８１〜８４からの排出流量を超える流量で雨水マス１２内に雨水が溜まると、排水孔８１〜８４からの排水中も水位が上がることになり、水位が雨水浸透管１１の内部仕切壁６１の下端部の上面よりも高くなると、雨水マス１２から雨水が雨水浸透管１１の上部流路６２を分割流路７１〜７４に加えて通ることになり、雨水マス１４側に流れる。さらに雨水の水位が上昇し、雨水マス１４側の水位が配管１５の下端部の上面よりも高くなると、雨水が配管１５を介して道路の側溝等の雨水排出先側に流れる。
【００４２】
以上のようにして、第１実施形態は、排水孔８１，８２あるいは排水孔８１〜８４から雨水浸透管１１の管外へ雨水を排出し、砕石Ｓの隙間を介して地中ＵＧに浸透させることになり、道路の側溝等の雨水排出先側に流れる水量を減らすようになっている。なお、雨水マス１２，１４の清掃等のメンテナンスは、蓋体２４，３４が取り外されて上部開口２３，３３を介して行われる。その際に、必要によりフィルタ２５が取り外されて捕捉したゴミ類が除去される。
【００４３】
以上に述べた雨水浸透管１１は、雨水マス１２と雨水マス１４とを連通させる上部流路６２を形成する上部流路形成部６３と、雨水マス１２と雨水マス１４とを連通させる下部流路６６を形成する下部流路形成部６７とが押出成形により一体成形されているため、部品点数が少なくなる。したがって、製品コストを低減することができる。また、部品点数が少なくなることから雨水マス１２，１４への連結が容易となり、施工が容易となる。また、上部流路形成部６３と下部流路形成部６７とが一体成形されているため、埋め戻しが行いにくいこれらの間の隙間が少なく、この点からも施工が容易となる。
【００４４】
また、下部流路形成部６７が、下部流路６６を、それぞれが排水孔８１〜８４の個別に対応するものにより管外に連通される複数の分割流路７１〜７４に分割する分割仕切壁７５，７６を有している。これにより、雨水浸透管１１は、複数の分割流路７１〜７４に分割して雨水を流すことができ、その結果、管内の雨水の流れを安定させることができる。よって、排水孔８１〜８４のそれぞれから円滑に管外つまり地中ＵＧへ雨水を排水することができる。また、分割仕切壁７５，７６が補強用リブとなって雨水浸透管１１の耐荷重性能を向上させることができるため、地盤側から受ける荷重による変形や破損等を抑制することができる。
【００４５】
また、複数の分割流路７１〜７４が上下方向に段状に配置され、下段側ほど流路面積が小さくなっている。これにより、雨水浸透管１１は、流路面積が均等になっている場合と比べて、流量が増えたときに下段の分割流路７１，７２に加えて上段の分割流路７３，７４に雨水を即座に流すことができる。よって、流量が増えたときに即座に排水孔８１〜８４のより多くのものから管外つまり地中ＵＧへ雨水を排水することができる。
【００４６】
また、下部流路形成部６７が、周壁６５に全長にわたって排水孔８１〜８４が形成されており、排水孔８１〜８４で分断された周壁６５の分割壁部９０〜９３を分割仕切壁７５，７６によって連結させている。これにより、押出成形によって排水孔８１〜８４を容易に形成することができる。したがって、製品コストをさらに低減することができる。
【００４７】
また、雨水浸透管１１は、高さが幅よりも大きい断面長円状をなす外筒部５１と、外筒部５１内に形成され外筒部５１の上部の半円筒部５２とで上部流路形成部６３を円筒状に形成するとともに外筒部５１の中間部の平板部５４，５５および下部の半円筒部５３とで下部流路形成部６７を形成する内部仕切壁６１とを有している。これにより、押出成形の成形性が向上する。また、高さが幅よりも大きい断面長円状をなす外筒部５１を有する形状であることから、周囲に隙間がないように埋め戻すことが容易にでき、施工がさらに容易となる。
【００４８】
次に、本発明の第２実施形態について、主に図１，図３を参照して第１実施形態との相違部分を中心に説明する。第１実施形態と同様の部分には同一の符号を付しその説明は略す。
【００４９】
第２実施形態では、図１に示す雨水浸透システム１０に、第１実施形態の雨水浸透管１１にかえて、これとは一部異なる図３に示す雨水浸透管１１Ａが用いられる。
【００５０】
雨水浸透管１１Ａは、下部流路形成部６７が、周壁６５の内側に、二つの分割流路７１，７２を四つの分割流路１０１，１０２，１０３，１０４に分割する横方向に沿う分割仕切壁１１０を有している。分割仕切壁１１０は、半円筒部５３の幅方向一側の上下方向の中間位置と、半円筒部５３の幅方向他側の上下方向の中間位置とを結んでおり、雨水浸透管１１の全長にわたって形成されている。分割仕切壁１１０は分割仕切壁７６と平行をなしている。
【００５１】
半円筒部５３の幅方向一側と分割仕切壁７５，１１０とでこれらの内側に分割流路１０１が形成されており、半円筒部５３の幅方向他側と分割仕切壁７５，１１０とでこれらの内側に分割流路１０２が形成されている。また、半円筒部５３の幅方向一側と分割仕切壁７５，７６，１１０とでこれらの内側に分割流路１０３が形成されており、半円筒部５３の幅方向他側と分割仕切壁７５，７６，１１０とでこれらの内側に分割流路１０４が形成されている。つまり、分割流路７１が、上下の分割流路１０１，１０３に分割され、分割流路７２が、上下の分割流路１０２，１０４に分割されている。分割流路１０１，１０２が下段に配置され、分割流路１０３，１０４が中段に配置され、分割流路７３，７４が上段に配置されている。分割流路１０１，１０２は互いの流路面積が同等になっている。分割流路１０３，１０４は、互いの流路面積が同等であり、分割流路１０１，１０２よりも流路面積が大きくなっている。分割流路７３，７４は、互いの流路面積が同等であり、分割流路１０３，１０４よりも流路面積が大きくなっている。つまり、複数の分割流路７３，７４，１０１〜１０４は、上下方向に段状に配置され、下段側ほど流路面積が小さくなっている。
【００５２】
そして、排水孔８１が分割流路１０１を、排水孔８２が分割流路１０２をそれぞれ個別に管外に連通させることになり、下部流路形成部６７の周壁６５には、分割流路１０３，１０４をそれぞれ個別に管外に連通させる排水孔１１１，１１２が追加で形成されている。半円筒部５３の幅方向一側における排水孔８１と排水孔８３との間に排水孔１１１が形成されており、この排水孔１１１は分割流路１０３を管外に連通させる。半円筒部５３の幅方向他側における排水孔８２と排水孔８４との間に排水孔１１２が形成されており、この排水孔１１２は、分割流路１０４を管外に連通させる。よって、分割流路７３，７４，１０１〜１０４は、それぞれが、排水孔８１〜８４，１１１，１１２のうちの対応する一つによって管外に連通されている。
【００５３】
ここで、排水孔１１１，１１２も、周壁６５にその全長にわたってスリット状に形成されている。言い換えれば、排水孔１１１，１１２は、いずれも周壁６５を長さ方向に貫通している。排水孔１１１，１１２が形成されることより、周壁６５は、排水孔８１，１１１間の分割壁部１２１と、排水孔８２，１１２間の分割壁部１２２と、排水孔１１１，８３間の分割壁部１２３と、排水孔１１２，８４間の分割壁部１２４とを有している。言い換えれば、分割壁部９１が、分割壁部１２１，１２３に分割され、分割壁部９２が、分割壁部１２２，１２４に分割されている。分割壁部１２１，１２２はそれぞれ半円筒部５３の一部からなり、分割壁部１２３は半円筒部５３および平板部５４の一部からなり、分割壁部１２４は半円筒部５３および平板部５５の一部からなっている。
【００５４】
分断された分割壁部９０，９３，１２１〜１２４が、分割仕切壁７５，７６，１１０によってすべて連結されている。つまり、分割壁部１２１，１２２が、分割仕切壁１１０によって互いに連結されるとともに分割仕切壁７５，１１０によって分割壁部９０，９３に連結されており、分割壁部１２３，１２４が、分割仕切壁７６によって互いに連結されるとともに、分割仕切壁７５，７６によって分割壁部９０，９３に連結されている。
【００５５】
以上の雨水浸透管１１Ａも、長さ方向の全長にわたって長さ方向に直交する断面が一定の形状をなしており、押出成形により一体成形され、この押出成形時に排水孔８１〜８４，１１１，１１２も形成されている。
【００５６】
雨水浸透管１１Ａは、長さ方向の一端が、図１に示す雨水マス１２の連結穴２９に連結され、長さ方向の他端が、図１に示す雨水マス１４の連結穴３９に連結される。これにより、下部流路６６を構成する分割流路７３，７４，１０１〜１０４と上部流路６２とが、雨水マス１２と雨水マス１４とを連通させることになる。また、雨水浸透管１１Ａにも、第１実施形態と同様の図示略のフィルタが排水孔８１〜８４，１１１，１１２を覆うように貼り付けられる。
【００５７】
以上に述べた第２実施形態では、例えば建物の雨樋等の雨水源側から雨水が、雨水マス１２内に導入されて、その水位が雨水浸透管１１Ａの半円筒部５３の下端部の上面よりも高くなると、雨水マス１２から雨水が雨水浸透管１１Ａの分割流路１０１，１０２内を通り、雨水マス１４側に流れる。分割流路１０１，１０２内の雨水の水位が排水孔８１，８２の高さ以上になると、雨水は排水孔８１，８２から雨水浸透管１１Ａの管外へ排出され、砕石Ｓの隙間を通って地中ＵＧに浸透する。
【００５８】
また、排水孔８１，８２からの排出流量を超える流量で雨水マス１２内に雨水が溜まると、排水孔８１，８２からの排水中も水位が上がることになり、水位が雨水浸透管１１Ａの分割仕切壁１１０の上面よりも高くなると、雨水マス１２から雨水が雨水浸透管１１の分割流路１０１〜１０４内を通り、雨水マス１４側に流れる。分割流路１０３，１０４内の雨水の水位が排水孔１１１，１１２の高さ以上になると、雨水は排水孔１１１，１１２からも雨水浸透管１１Ａの管外へ排出され、砕石Ｓの隙間を通って地中ＵＧに浸透する。
【００５９】
また、排水孔８１，８２，１１１，１１２からの排出流量を超える流量で雨水マス１２内に雨水が溜まると、排水孔８１，８２，１１１，１１２からの排水中も水位が上がることになり、水位が雨水浸透管１１Ａの分割仕切壁７６の上面よりも高くなると、雨水マス１２から雨水が雨水浸透管１１Ａの分割流路７３，７４，１０１〜１０４内を通り、雨水マス１４側に流れる。分割流路７３，７４内の雨水の水位が排水孔８３，８４の高さ以上になると、雨水は排水孔８３，８４からも雨水浸透管１１の管外へ排出され、砕石Ｓの隙間を通って地中ＵＧに浸透する。
【００６０】
さらに、排水孔８１〜８４，１１１，１１２からの排出流量を超える流量で雨水マス１２内に雨水が溜まると、排水孔８１〜８４，１１１，１１２からの排水中も水位が上がることになり、水位が雨水浸透管１１Ａの内部仕切壁６１の下端部の上面よりも高くなると、雨水マス１２から雨水が雨水浸透管１１Ａの下部流路６６に加えて、上部流路６２を通り、雨水マス１４側に流れる。さらに雨水の水位が上昇し、雨水マス１４側の雨水の水位が配管１５の下端部の上面よりも高くなると、雨水が配管１５を介して道路の側溝等の雨水排出先側に流れる。
【００６１】
以上のようにして、第２実施形態は、排水孔８１，８２から、あるいは排水孔８１，８２，１１１，１１２から、あるいは排水孔８１〜８４，１１１，１１２から雨水浸透管１１Ａの管外へ雨水を排出し、砕石Ｓの隙間を介して地中ＵＧに浸透させることになっている。
【００６２】
以上に述べた雨水浸透管１１Ａは、下部流路形成部６７が、下部流路６６を、それぞれが排水孔８１〜８４，１１１，１１２の個別に対応するものにより管外に連通される複数の分割流路７３，７４，１０１〜１０４に分割する分割仕切壁７５，７６，１１０を有している。これにより、雨水浸透管１１Ａは、第１実施形態よりも多い分割流路７３，７４，１０１〜１０４に分割して雨水を流すことができ、その結果、管内の雨水の流れをさらに安定させることができる。よって、排水孔８１〜８４，１１１，１１２のそれぞれから円滑に管外つまり地中ＵＧへ雨水を排水することができる。また、第１実施形態よりも多い分割仕切壁７５，７６，１１０が補強用リブとなって雨水浸透管１１の耐荷重性能を向上させることができるため、地盤側から受ける荷重による変形や破損等をさらに抑制することができる。
【００６３】
また、複数の分割流路７３，７４，１０１〜１０４が上下方向に段状に配置され、下段側ほど流路面積が小さくなっている。これにより、雨水浸透管１１Ａは、流路面積が均等になっている場合と比べて、流量が増えたときに下段の分割流路１０１，１０２に加えて中段の分割流路１０３，１０４に雨水を即座に流すことができ、さらに流量が増えたときに下段の分割流路１０１，１０２および中段の分割流路１０３，１０４に加えて上段の分割流路７３，７４に雨水を即座に流すことができる。よって、流量が増えたときに即座に排水孔８１〜８４，１１１，１１２のより多くのものから管外つまり地中ＵＧへ雨水を排水することができる。
【００６４】
また、下部流路形成部６７が、周壁６５に全長にわたって排水孔８１〜８４，１１１，１１２が形成されており、排水孔８１〜８４，１１１，１１２で分断された周壁６５の分割壁部９０，９３，１２１〜１２４を分割仕切壁７５，７６，１１０によって連結させている。これにより、押出成形によって排水孔８１〜８４，１１１，１１２を容易に形成することができる。したがって、製品コストをさらに低減することができる。
【００６５】
次に、本発明の第３実施形態について、主に図４を参照して第２実施形態との相違部分を中心に説明する。第２実施形態と同様の部分には同一の符号を付しその説明は略す。
【００６６】
第３実施形態では、雨水浸透システム１０に、第２実施形態の雨水浸透管１１Ａとは一部異なる雨水浸透管１１Ｂが用いられる。
【００６７】
雨水浸透管１１Ｂは、下部流路形成部６７の周壁６５に、第２実施形態の排水孔８１〜８４，１１１，１１２にかえて、分割流路７３，７４，１０１〜１０４をそれぞれ個別に管外に連通させる排水孔８１Ｂ，８２Ｂ，８３Ｂ，８４Ｂ，１１１Ｂ，１１２Ｂ，８１Ｃ，８２Ｃ，８３Ｃ，８４Ｃ，１１１Ｃ，１１２Ｃが形成されている。排水孔８１Ｂ，８１Ｃは、分割流路１０１を管外に連通させる。また、排水孔８２Ｂ，８２Ｃは、分割流路１０２を管外に連通させる。また、排水孔１１１Ｂ，１１１Ｃは、分割流路１０３を管外に連通させる。また、排水孔１１２Ｂ，１１２Ｃは、分割流路１０４を管外に連通させる。また、排水孔８３Ｂ，８３Ｃは、分割流路７３を管外に連通させる。また、排水孔８４Ｂ，８４Ｃは、分割流路７４を管外に連通させる。よって、分割流路７３，７４，１０１〜１０４は、それぞれが、排水孔８１Ｂ〜８４Ｂ，１１１Ｂ，１１２Ｂ，８１Ｃ〜８４Ｃ，１１１Ｃ，１１２Ｃのうちの個別に対応する二つによって管外に連通されている。
【００６８】
ここで、排水孔８１Ｂ〜８４Ｂ，１１１Ｂ，１１２Ｂ，８１Ｃ〜８４Ｃ，１１１Ｃ，１１２Ｃは、いずれも周壁６５にその全長の一部のみに長さ方向に沿うスリット状に形成されている。下側の排水孔８１Ｂ，８１Ｃ，８２Ｂ，８２Ｃは、周壁６５の長さ方向の中央部付近に形成されており、これらよりも周壁６５の長さ方向の外側に、上下方向中間の排水孔１１１Ｂ，１１１Ｃ，１１２Ｂ，１１２Ｃが形成され、これらよりも周壁６５の長さ方向の外側に、上側の排水孔８３Ｂ，８３Ｃ，８４Ｂ，８４Ｃが形成されている。
【００６９】
以上の雨水浸透管１１Ｂも、排水孔８１Ｂ〜８４Ｂ，１１１Ｂ，１１２Ｂ，８１Ｃ〜８４Ｃ，１１１Ｃ，１１２Ｃを除けば、長さ方向の全長にわたって長さ方向に直交する断面が一定の形状をなしており、押出成形により一体成形されている。この押出成形時に、押出成形の金型にピンを適宜進退させることによって、排水孔８１Ｂ〜８４Ｂ，１１１Ｂ，１１２Ｂ，８１Ｃ〜８４Ｃ，１１１Ｃ，１１２Ｃを上記の位置に形成する。このような雨水浸透管１１Ｂにも、第１実施形態と同様の図示略のフィルタが排水孔８１Ｂ〜８４Ｂ，１１１Ｂ，１１２Ｂ，８１Ｃ〜８４Ｃ，１１１Ｃ，１１２Ｃを覆うように貼り付けられる。
【００７０】
以上に述べた第３実施形態では、排水孔８１Ｂ〜８４Ｂ，１１１Ｂ，１１２Ｂ，８１Ｃ〜８４Ｃ，１１１Ｃ，１１２Ｃが上記のように雨水浸透管１１Ｂの長さ方向に位置をずらして形成されているため、下側の排水孔８１Ｂ，８１Ｃ，８２Ｂ，８２Ｃが、周壁６５の長さ方向の中央部付近から雨水を排出することになり、上側の排水孔８３Ｂ，８３Ｃ，８４Ｂ，８４Ｃが周壁６５の長さ方向の両端部付近から雨水を排出することになり、これらの長さ方向の間位置から、中間の排水孔１１１Ｂ，１１１Ｃ，１１２Ｂ，１１２Ｃが雨水を排出することになる。よって、排水量が多い場合に雨水浸透管１１Ｂの周囲の地中ＵＧに雨水浸透管１１Ｂの長さ方向に満遍なく雨水を排水することができる。よって、より効率良く雨水を地中ＵＧへ浸透させることができる。
【００７１】
なお、第３実施形態においては、周壁６５が排水孔によって分断されることがないため、分割仕切壁７５，７６，１１０の一部あるいは全部をなくすことも可能である。
【００７２】
第１〜第３実施形態において、雨水浸透管１１，１１Ａ，１１Ｂを押出加工により排水孔のない状態で成形して、すべての排水孔を切削加工によって形成しても良い。また、排水孔の一部のみを切削加工によって形成しても良い。
【符号の説明】
【００７３】
１０  雨水浸透システム
１１，１１Ａ，１１Ｂ  雨水浸透管
１２  雨水マス（導入側雨水マス）
１３  配管（雨水導入ライン）
１４  雨水マス（排出側雨水マス）
１５  配管（雨水排出ライン）
５１  外筒部
６１  内部仕切壁
６２  上部流路
６３  上部流路形成部
６５  周壁
６６  下部流路
６７  下部流路形成部
７１〜７４，１０１〜１０４  分割流路
７５，７６，１１０  分割仕切壁
８１〜８４，８１Ｂ〜８４Ｂ，８１Ｃ〜８４Ｃ，１１１，１１２，１１１Ｂ，１１２Ｂ，１１１Ｃ，１１２Ｃ  排水孔                  
９０〜９３，１２１〜１２４  分割壁部
【図１】
2015140630.tif 000003
【図２】
2015140630.tif 000004
【図３】
2015140630.tif 000005
【図４】
2015140630.tif 000006